(57)【要約】      （修正有）【課題】軽量小型、持ち運びに便利な超ミニウェットティッシュ包装体を提供する。【解決手段】超ミニウェットティッシュ包装体は、包装袋２上に開口部４が設けられ、開口部上にシート状開閉蓋５が設けられ、開口部の幅は１５〜３０ｍｍ、長さが２５〜５０ｍｍであり、開口部の長さ方向両側が円弧形となり、ウェットティッシュの積層体は複数枚の独立した１枚ティッシュが折り畳まれた後、厚さ方向に互いに積層され、ティッシュ折り畳み体の長さが７０〜８０ｍｍ、幅が３２．５〜３７．５ｍｍ、高さが６〜２０ｍｍである。超ミニウェットティッシュ包装体の長さは、８３〜１０５ｍｍ、幅が３８．５〜４１ｍｍ、高さが８〜２２ｍｍである。使用時にシート状開閉蓋を開き、包装袋の隙間内からウェットティッシュを引き出す。開閉蓋には剥離停止部５３が設置され、シート状開閉蓋の包装袋からの剥離を防止する。【選択図】図１
0003220555.tif 000002
【実用新案登録請求の範囲】
【請求項１】
包装袋と、包装袋内に位置するウェットティッシュ積層体とを含み、前記包装袋上に包装袋内に収容されるウェットティッシュを取り出すための開口部が設けられ、前記開口部上にシート状開閉蓋が設けられ、前記シート状開閉蓋はウェットティッシュ開口部を再度密封することができる超ミニウェットティッシュ包装体であって、
前記開口部の開口幅は、１５〜３０ｍｍ、開口部の長さが２５〜５０ｍｍで、かつ開口部の長さ方向における両側が円弧形となり、前記ウェットティッシュの積層体が複数枚の独立した１枚式ウェットティッシュが折り畳まれた後、厚さ方向に互いに積層してから成り、前記ウェットティッシュ折り畳み体の長さが７０〜８０ｍｍで、幅が３２．５〜３７．５ｍｍ、高さが８〜２０ｍｍであり、前記超ミニウェットティッシュ包装体の長さは８３〜１０５ｍｍ、幅が３８．５〜４１ｍｍ、高さが１０〜２２ｍｍであることを特徴とする、超ミニウェットティッシュ包装体。
【請求項２】
前記ウェットティッシュ展開後の長さは、１４０〜１６０ｍｍ、幅が１３０〜１５０ｍｍであることを特徴とする、請求項１に記載の超ミニウェットティッシュ包装体。
【請求項３】
前記ウェットティッシュ積層体内のウェットティッシュは、幅方向において、Ｗ折りされた四つ折り面で、長さ方向において二つ折りされていることを特徴とする、請求項１に記載の超ミニウェットティッシュ包装体。
【請求項４】
前記包装袋の長さ方向における両端に４〜１０ｍｍの封止部を有することを特徴とする、請求項１に記載の超ミニウェットティッシュ包装体。
【請求項５】
前記ミニウェットティッシュ包装袋内部空間の長さが７５〜８５ｍｍであることを特徴とする、請求項１に記載の超ミニウェットティッシュ包装体。
【請求項６】
前記ウェットティッシュ折り畳み体の長さは、７０〜８０ｍｍ、幅が３２．５〜３７．５ｍｍ、高さが１６〜２０ｍｍであり、前記超ミニウェットティッシュ包装体の長さが９０〜１００ｍｍ、幅が３９〜４０ｍｍ、高さが１８〜２２ｍｍであることを特徴とする、請求項１に記載の超ミニウェットティッシュ包装体。
【請求項７】
前記シート状開閉蓋に摘み部が設けられ、前記摘み部には接着剤が塗布されていないことを特徴とする、請求項１に記載の超ミニウェットティッシュ包装体。
【請求項８】
前記摘み部のウェットティッシュ包装体の長さ方向における長さは、５〜１０ｍｍであり、前記摘み部が円弧状であることを特徴とする、請求項７に記載の超ミニウェットティッシュ包装体。
【請求項９】
前記シート状開閉蓋の摘み部の開口部に対向する他端の両側に剥離停止部が設けられることを特徴とする、請求項１に記載の超ミニウェットティッシュ包装体。
【考案の詳細な説明】
【技術分野】
【０００１】
本考案は、日常の生活衛生用品分野に関し、特に、携帯式超ミニウェットティッシュ包装体に関する。
【背景技術】
【０００２】
ウェットティッシュ／濡れたティッシュは、人々の日常生活において不可欠な清掃用品であり、物品の清掃がウェットティッシュを使用する以外に、人々は普遍的にウェットティッシュで人体の汗、汚れ及び油汚れをふき取っている。ウェットティッシュは、不織布等の基布を洗浄液、消毒液等の薬剤等に浸透するため、通常密閉収納容器内に収納することで、基布が薬液等に濡れている状態を維持できる。一般的に市場上のよく見られる日用ウェットティッシュには、ポケットタイプのウェットティッシュとタンクタイプのウェットティッシュがある。
【０００３】
従来の収納容器としては、円筒形状のボトル容器が従来から広く用いられているが、ボトルタイプのウェットティッシュ包装体はロール状に巻かれたウェットティッシュを縦方向に収納容器内に収納するため、容器をコンパクトさせることが困難で、収納容器の大型化により製造コストも高くなる問題が存在していた。よって、近年、折りたたまれたウェットティッシュを袋体内に収納して包装し、１枚ずつ折りたたまれたウェットティッシュを取り出す袋タイプのウェットティッシュ包装体をボトルタイプのウェットティッシュ包装体に代替して使用し始めた。
【０００４】
袋タイプ」のウェットティッシュ包装体として、次の構成のウェットティッシュ包装体を幅広く使用している。気密性を持つ薄膜等で形成された袋体開口部周辺の内側上に底部がウェットティッシュ取出口を備えたウェットティッシュ取出口形成部材を取り付け、ウェットティッシュ取出口を通じて、袋体開口部から包装体内のウェットティッシュを引き出す。
【０００５】
ウェットティッシュの寸法が単一で、小面積の汚れをふき取る時、ウェットティッシュを開き、片手が空いている状態において、非常に不便である。かつその包装体の体積が比較的大きく、比較的大きなスペースをとり、外出や旅行時の持ち運びに不便である。
【０００６】
しかしながら、現在数枚入りのウェットティッシュ包装袋の多くの規格は、長さ１２０ｍｍ、幅６５ｍｍ、高さ１０ｍｍ、又はこの規格サイズに近く、この規格のウェットティッシュはやはり大きすぎることから持ち運びに不便、或いは包装が大きすぎて携帯時の体裁が悪く、視覚的不快感を与えてしまう。
【考案の概要】
【考案が解決しようとする課題】
【０００７】
本考案は、従来品に存在する欠陥に鑑み、軽量小型、面積を取らず、持ち運びに便利な超ミニウェットティッシュ包装体を提供することを目的とする。
【課題を解決するための手段】
【０００８】
上記目的を達成するため、本考案は、包装袋と、包装袋内に位置するウェットティッシュ積層体とを含む超ミニウェットティッシュ包装体を提供する。前記包装袋上に包装袋内に収容されるウェットティッシュを取り出すための開口部が設けられ、前記開口部上にシート状開閉蓋が設けられ、前記シート状開閉蓋はウェットティッシュ開口部を再度密封することができ、前記開口部の開口幅が１５〜３０ｍｍ、開口部の長さが２５〜５０ｍｍで、かつ開口部の長さ方向における両側が円弧形となり、前記ウェットティッシュの積層体が複数枚の独立した１枚式ウェットティッシュが折り畳まれた後、厚さ方向に互いに積層してから成り、前記ウェットティッシュ折り畳み体の長さが７０〜８０ｍｍ、幅が３２．５〜３７．５ｍｍ、高さが６〜２０ｍｍである。前記超ミニウェットティッシュ包装体の長さは、８３〜１０５ｍｍ、幅が３８．５〜４１ｍｍ、高さが８〜２２ｍｍである。好ましくは、前記ウェットティッシュ折り畳み体の長さは、７０〜８０ｍｍ、幅が３２．５〜３７．５ｍｍ、高さが１６〜２０ｍｍで、前記超ミニウェットティッシュ包装体の長さは９０〜１００ｍｍ、幅が３９〜４０ｍｍ、高さが１８〜２２ｍｍである。
【０００９】
本考案に係る超ミニウェットティッシュ包装体によれば、ウェットティッシュは液体組成物を塗布又は浸透した基布素材を含み、前記基布素材が織物或いは不織布、フォーム、スポンジ、綿くず、湿分強度の高いトイレットペーパー、或いはクリーンペーパーとすることができ、好ましくは不織布であり、かつ天然若しくは合成の繊維又はその混合物で製造されることができる。親水性繊維材料と疎水性繊維材料を混合した繊維組成物が好ましい。前記ウェットティッシュ展開後の長さは、１４０〜１６０ｍｍ、幅が１３０〜１５０ｍｍである。前記ウェットティッシュ積層体内のウェットティッシュは、幅方向において、Ｗ折りされた四つ折り面で、長さ方向において二つ折りされている。
【００１０】
本考案に係る超ミニウェットティッシュ包装体によれば、前記包装袋の長さ方向における両端に４〜１０ｍｍの封止部を有し、前記ミニウェットティッシュ包装袋内部空間の長さが７５〜８５ｍｍである。
【００１１】
本考案に係る超ミニウェットティッシュ包装体によれば、前記シート状開閉蓋に摘み部が設けられ、前記摘み部には接着剤が塗布されていない。前記摘み部のウェットティッシュ包装体の長さ方向における長さは、５〜１０ｍｍであり、前記摘み部が円弧状である。前記シート状開閉蓋の摘み部の開口部に対向する他端の両側に剥離停止部が設けられる。
【考案の効果】
【００１２】
本考案に係る超ミニウェットティッシュ包装体によれば、上記構造設計を用い、使用時にシート状開閉蓋を開き、包装袋の隙間内からウェットティッシュを外部に引き出し、剥離停止部の設置はシート状開閉蓋が完全に包装袋から剥がされることを防止しため、利便性がある。かつ包装も従来のウェットティッシュ包装体より非常に小さく、軽量小型、持ち運びに便利である。
【図面の簡単な説明】
【００１３】
【図１】本考案に係るミニウェットティッシュ包装体を示す模式図である。
【図２】包装袋内のウェットティッシュ積層体を示す模式図である。
【図３】ウェットティッシュの展開様子を示す図である。
【図４】ウェットティッシュの幅方向に折り畳まれた様子を示す図である。
【図５】ウェットティッシュの長さ方向に折り畳まれた様子を示す図である。
【考案を実施するための形態】
【００１４】
以下、具体的実施例を組み合わせて本考案の技術的手段についてさらに明確、完全に説明する。
【００１５】
図１〜２に示すように、本考案は超ミニウェットティッシュ包装体１を提供し、前記包装体が細長状であり、前記細長状の超ミニウェットティッシュ包装体の長さは８３〜１０５ｍｍ、幅が３８．５〜４１ｍｍ、高さが１０〜２２ｍｍである。前記細長状の超ミニウェットティッシュ包装体は、包装袋２と、包装袋内に位置するウェットティッシュ積層体３とを含み、前記包装袋に包装袋内に収容されるウェットティッシュを取り出すための開口部４が設けられ、前記開口部４の開口幅が１５〜３０ｍｍ、開口部の長さが２５〜５０ｍｍであり、かつ開口部の長さ方向における両側が円弧形となる。開口部４にはシート状開閉蓋５が設けられ、前記シート状開閉蓋５が開口部４より大きく、開口部４の周囲から延伸して開口部４を覆うことができ、かつ前記シート状開閉蓋５がウェットティッシュの開口部を再度密封できる。前記シート状開閉蓋５に摘み部５１が設けられ、前記摘み部５１には接着剤が塗布されず、すなわち、前記摘み部５１は接着剤を通じて包装袋２に接着されない。前記摘み部５１のウェットティッシュ包装体の長さ方向における長さは、５〜１０ｍｍであり、前記摘み部が円弧状である。シート状開閉蓋の摘み部５１の開口部に対向する他端５２の両側５３に剥離停止部５３が設けられる。使用時、摘み部５１を掴んで上方へシート状開閉蓋５を開き、包装袋の隙間からウェットティッシュを外部に引き出し、剥離停止部５３の設置はシート状開閉蓋５が完全に包装袋から剥がされるのを防止する。前記包装袋の長さ方向における両端に４〜１０ｍｍの封止部９を有し、前記ミニウェットティッシュ包装袋内部空間の長さが７５〜８５ｍｍである。
【００１６】
ウェットティッシュは、液体組成物を塗布又は浸透した基布素材を含み、前記基布素材が織物或いは不織布、フォーム、スポンジ、綿くず、湿分強度の高いトイレットペーパー、或いはクリーンペーパーとすることができ、好ましくは不織布であり、かつ天然若しくは合成の繊維又はその混合物で製造されることができる。親水性繊維材料と疎水性繊維材料を混合した繊維組成物が好ましい。
【００１７】
製造時、先にウェットティッシュ基布素材（不織布）を１３０〜１５０ｍｍに切り分けた後、折り畳み機構を通じて不織布の幅方向にＷ折りされ、ガイドローラでウェットティッシュ薬液槽内に含浸し、その後ウェットティッシュ薬液槽から出した後、圧延ローラで不織布基布素材上のウェットティッシュ薬液を適切に取り除き、そして長さ方向においてＷ折りされた帯状不織布を１４０〜１６０ｍｍに切り分け、更に長さ方向の二つ折り機構を通じて細長状の帯状不織布を二つ折りする。二つ折りされた後の１枚のウェットティッシュ３１を厚さ方向に積層し、カウンターで計数し、指定枚数のウェットティッシュ積層体になった後、ウェットティッシュ包装機構内に輸送されてウェットティッシュに対し包装袋で包装する。
【００１８】
本考案に係るウェットティッシュ３１の展開後の長さＬは、１４０〜１６０ｍｍ、幅Ｄが１３０〜１５０ｍｍである。図３〜図５のように、前記ウェットティッシュ積層体内のウェットティッシュの幅方向において、Ｗ折りされた四つ折り面であり、長さ方向において二つ折りの１枚のウェットティッシュ折り畳み体３１として折る。図３内のＹ１、Ｙ２、Ｙ３が折り目であり、ウェットティッシュはＹ１、Ｙ２、Ｙ３の折り目に沿って折り畳まれ図４に示すＷ字形の細長状となる。図４内のＸ１が二つ折りの折り目であり、長さ方向に沿って切り分けた細長状不織布は、Ｘ１の折り目に沿って図５の１枚のウェットティッシュ折り畳み体として折る。前記ウェットティッシュ積層体３は、３〜５枚の独立したウェットティッシュ折り畳み体３１を厚さ方向に互いに重なってから成り、前記ウェットティッシュ折り畳み体の長さＬ２が７０〜８０ｍｍ、幅Ｄ２が３２．５〜３７．５ｍｍ、高さＨ２が６〜１２ｍｍである。前記超ミニウェットティッシュ包装体の長さＬ１は、８３〜１０５ｍｍ、幅Ｄ１が３８．５〜４１ｍｍ、高さＨ１が８〜１４ｍｍである。
【００１９】
前記ウェットティッシュ積層体３は、６〜１０枚の独立した１枚片式のウェットティッシュ折り畳み体３１を厚さ方向に互いに重なってから成り、前記ウェットティッシュ折り畳み体の長さＬ２が７０〜８０ｍｍ、幅Ｄ２が３２．５〜３７．５ｍｍ、高さＨ２が１０〜２０ｍｍである。前記超ミニウェットティッシュ包装体の長さＬ１は、８３〜１０５ｍｍ、幅Ｄ１が３８．５〜４１ｍｍ、高さＨ１が１２〜２２ｍｍである。
【００２０】
具体的実施形態を参照して本考案を表示及び記載したが、以上述べたのは僅か本考案の幾つかの具体的実施形態であり、本考案の設計・思想はこれに限定されず、本考案の精神を逸脱しない範囲内において種々の改良変更、削除及び追加をなし得る。ただし、それら変形はやはり本考案が主張する保護範囲に網羅される。 
【符号の説明】
【００２１】
１  超ミニウェットティッシュ包装体
２  包装袋
３  ウェットティッシュ積層体
３１  １枚のウェットティッシュ或いは１枚のウェットティッシュ折り畳み体
４  包装袋上の開口部
５  シート状開閉蓋
５１  シート状開閉蓋の摘み部
５２  シート状開閉蓋の摘み部５１の開口部に対向する他端
５３  剥離停止部
９  包装袋両端の封止部
【図１】
0003220555.tif 000003
【図２】
0003220555.tif 000004
【図３】
0003220555.tif 000005
【図４】
0003220555.tif 000006
【図５】
0003220555.tif 000007